(57)【要約】【課題】複数の記録媒体に記録されたデータの信頼性を向上させる。【解決手段】画像を記録する複数の記録媒体Ａ１，Ｂ１，Ｂ２と、複数の記録媒体Ａ１，Ｂ１，Ｂ２のうち、いずれの記録媒体に画像を記録するかを判定する上での判定区分となる１つ以上のパラメータと、１つ以上のパラメータの優先順位を示すパラメータ優先度とを関連付けて、パラメータ優先度情報として記憶するパラメータ優先度記憶部８ａと、１つ以上のパラメータ毎に、複数の記録媒体Ａ１，Ｂ１，Ｂ２において、優先させる記録媒体の順位を示すパラメータ毎媒体優先度を決定するパラメータ毎媒体優先度決定部９ａと、決定されたパラメータ毎媒体優先度とパラメータ優先度情報とに基づいて、複数の記録媒体Ａ１，Ｂ１，Ｂ２において、優先使用する記録媒体の順位を示す媒体優先度を決定する媒体優先度決定部９ｂとを備える。【選択図】      図１
2010204841.tif 000002
【特許請求の範囲】
【請求項１】
データを記録する複数の記録媒体と、
前記複数の記録媒体のうち、いずれの記録媒体に前記データを記録するかを判定する上での判定区分となる１つ以上のパラメータと、前記１つ以上のパラメータの優先順位を示すパラメータ優先度とを関連付けて、パラメータ優先度情報として記憶するパラメータ優先度記憶手段と、
前記１つ以上のパラメータ毎に、前記複数の記録媒体において優先させる記録媒体の順位を示すパラメータ毎媒体優先度を決定するパラメータ毎媒体優先度決定手段と、
前記決定されたパラメータ毎媒体優先度と前記パラメータ優先度情報とに基づいて、前記複数の記録媒体において、優先使用する記録媒体の順位を示す媒体優先度を決定する媒体優先度決定手段と、
を備えることを特徴とする記録装置。
【請求項２】
前記パラメータ毎媒体優先度決定手段は、
前記１つ以上のパラメータに、代替エリア使用比率に基づいて前記パラメータ毎媒体優先度を決定することを示すパラメータが含まれている場合に、前記複数の記録媒体毎に、全記憶容量に対する代替エリアの使用容量を前記代替エリア使用比率として算出し、この算出された代替エリア使用比率が小さい記録媒体ほど優先されるように、前記代替エリア使用比率に基づいた前記パラメータ毎媒体優先度を決定する
ことを特徴とする請求項１記載の記録装置。
【請求項３】
前記パラメータ毎媒体優先度決定手段は、
前記１つ以上のパラメータに、エラーレートに基づいて前記パラメータ毎媒体優先度を決定することを示すパラメータが含まれている場合に、前記複数の記録媒体毎に、前記記録媒体に記録された管理情報を読み出し、この管理情報を読み出した際の前記エラーレートを算出し、この算出されたエラーレートが小さい記録媒体ほど優先されるように、前記エラーレートに基づいた前記パラメータ毎媒体優先度を決定する
ことを特徴とする請求項１又は２記載の記録装置。
【請求項４】
前記パラメータ毎媒体優先度決定手段は、
前記１つ以上のパラメータに、単位記録値に基づいて前記パラメータ毎媒体優先度を決定することを示すパラメータが含まれている場合に、前記複数の記録媒体毎に、前記記録媒体に記録された管理情報を読み出し、この読み出された管理情報から前記記録媒体の最小記録単位当たりの記録値を前記単位記録値として抽出し、この抽出された単位記録値が小さい記録媒体ほど優先されるように、前記単位記録値に基づいた前記パラメータ毎媒体優先度を決定する
ことを特徴とする請求項１〜３のうちいずれか１項記載の記録装置。
【請求項５】
前記記録媒体の種類毎に、前記記録媒体を製造する製造メーカを一意に識別する製造メーカコードと、前記製造メーカコードの優先順位を示す製造メーカ優先度とを関連付けて、製造メーカ優先度情報として記憶する製造メーカ優先度記憶手段と、を更に備え、
前記パラメータ毎媒体優先度決定手段は、
前記１つ以上のパラメータに、前記製造メーカコードに基づいて前記パラメータ毎媒体優先度を決定することを示すパラメータが含まれている場合に、前記複数の記録媒体毎に、前記記録媒体に記録された管理情報を読み出し、この読み出された管理情報から前記記録媒体の種類と前記製造メーカコードとを抽出し、前記製造メーカ優先度情報に基づいて、前記抽出された記録媒体の種類において優先させる前記製造メーカコードの順位を、前記製造メーカコードに基づいた前記パラメータ毎媒体優先度として決定する
ことを特徴とする請求項１〜４のうちいずれか１項記載の記録装置。
【発明の詳細な説明】
【技術分野】
【０００１】
本発明は、複数の記録媒体を備え、記録するデータの信頼性を向上させる記録装置に関する。
【背景技術】
【０００２】
一般的に、フラッシュメモリ（データの消去書き換えが可能な不揮発性メモリ）が内蔵され、撮像した画像をフラッシュメモリへ記録（記憶）する構成のビデオカメラがよく知られている。
【０００３】
ここで、フラッシュメモリは、大容量化が容易で、価格が安く、さらに、データをバックアップするための電池が不要であるといった利点を有する。しかしながら、フラッシュメモリは、保証されるデータの書き換え回数が有限という短所も併せ持っているので、従来のビデオカメラでは、画像の記録および消去を何度も繰り返すことにより、フラッシュメモリに記憶されたデータの信頼性が低下し、これにより、再生画像のＳ／Ｎ比が低下するという問題があった。
【０００４】
そこで、特許文献１には、フラッシュメモリの各記録単位領域の消去回数を検出し、検出された消去回数が消去保証回数を越えた記録単位領域への画像信号の記録を禁止するスチルビデオカメラが提案されている。
【０００５】
また、特許文献２には、異種の画像記録媒体を同時に装着しているときに、各画像記録媒体の特性に基づいて優先的に使用する優先媒体を定め、撮影した画像の記録および記録している画像の再生表示において、優先媒体のみを、または優先媒体を高い頻度で使用するデジタルカメラが提案されている。
【先行技術文献】
【特許文献】
【０００６】
【特許文献１】特開平８−２１４２５０号公報
【特許文献２】特開２００１−２２３９７７号公報
【発明の概要】
【発明が解決しようとする課題】
【０００７】
しかしながら、特許文献１に記載の技術では、検出された消去回数が消去保証回数を越えた記録単位領域への画像信号の記録を禁止するので、禁止された記録単位領域が多くなったフラッシュメモリに対しても記録を行う場合があった。
【０００８】
また、特許文献２に記載の技術では、異種の画像記録媒体のうち、優先的に使用する優先媒体を定め使用するので、複数の同種の画像記録媒体を備える場合、記録されたデータの信頼性が向上することができなかった。
【０００９】
本発明は、上記課題に鑑みてなされたものであり、データの消去書き換えが可能な複数の記録媒体を備え、この記録媒体に記録されたデータの信頼性を向上させることができる記録装置を提供することにある。
【課題を解決するための手段】
【００１０】
上記目的を達成するため、本発明に係る記録装置の第１の特徴は、データを記録する複数の記録媒体と、前記複数の記録媒体のうち、いずれの記録媒体に前記データを記録するかを判定する上での判定区分となる１つ以上のパラメータと、前記１つ以上のパラメータの優先順位を示すパラメータ優先度とを関連付けて、パラメータ優先度情報として記憶するパラメータ優先度記憶手段と、前記１つ以上のパラメータ毎に、前記複数の記録媒体において優先させる記録媒体の順位を示すパラメータ毎媒体優先度を決定するパラメータ毎媒体優先度決定手段と、前記決定されたパラメータ毎媒体優先度と前記パラメータ優先度情報とに基づいて、前記複数の記録媒体において、優先使用する記録媒体の順位を示す媒体優先度を決定する媒体優先度決定手段と、を備えることにある。
【００１１】
上記目的を達成するため、本発明に係る記録装置の第２の特徴は、前記パラメータ毎媒体優先度決定手段は、前記１つ以上のパラメータに、代替エリア使用比率に基づいて前記パラメータ毎媒体優先度を決定することを示すパラメータが含まれている場合に、前記複数の記録媒体毎に、全記憶容量に対する代替エリアの使用容量を前記代替エリア使用比率として算出し、この算出された代替エリア使用比率が小さい記録媒体ほど優先されるように、前記代替エリア使用比率に基づいた前記パラメータ毎媒体優先度を決定することにある。
【００１２】
上記目的を達成するため、本発明に係る記録装置の第３の特徴は、前記パラメータ毎媒体優先度決定手段は、前記１つ以上のパラメータに、エラーレートに基づいて前記パラメータ毎媒体優先度を決定することを示すパラメータが含まれている場合に、前記複数の記録媒体毎に、前記記録媒体に記録された管理情報を読み出し、この管理情報を読み出した際の前記エラーレートを算出し、この算出されたエラーレートが小さい記録媒体ほど優先されるように、前記エラーレートに基づいた前記パラメータ毎媒体優先度を決定することにある。
【００１３】
上記目的を達成するため、本発明に係る記録装置の第４の特徴は、前記パラメータ毎媒体優先度決定手段は、前記１つ以上のパラメータに、単位記録値に基づいて前記パラメータ毎媒体優先度を決定することを示すパラメータが含まれている場合に、前記複数の記録媒体毎に、前記記録媒体に記録された管理情報を読み出し、この読み出された管理情報から前記記録媒体の最小記録単位当たりの記録値を前記単位記録値として抽出し、この抽出された単位記録値が小さい記録媒体ほど優先されるように、前記単位記録値に基づいた前記パラメータ毎媒体優先度を決定することにある。
【００１４】
上記目的を達成するため、本発明に係る記録装置の第５の特徴は、前記記録媒体の種類毎に、前記記録媒体を製造する製造メーカを一意に識別する製造メーカコードと、前記製造メーカコードの優先順位を示す製造メーカ優先度とを関連付けて、製造メーカ優先度情報として記憶する製造メーカ優先度記憶手段と、を更に備え、前記パラメータ毎媒体優先度決定手段は、前記１つ以上のパラメータに、前記製造メーカコードに基づいて前記パラメータ毎媒体優先度を決定することを示すパラメータが含まれている場合に、前記複数の記録媒体毎に、前記記録媒体に記録された管理情報を読み出し、この読み出された管理情報から前記記録媒体の種類と前記製造メーカコードとを抽出し、前記製造メーカ優先度情報に基づいて、前記抽出された記録媒体の種類において優先させる前記製造メーカコードの順位を、前記製造メーカコードに基づいた前記パラメータ毎媒体優先度として決定することにある。
【発明の効果】
【００１５】
本発明の記録装置によれば、複数の記録媒体に記録されたデータの信頼性を向上させることができる。
【図面の簡単な説明】
【００１６】
【図１】本発明の一実施形態である記録装置の構成を示した構成図である。
【図２】本発明の一実施形態である記録装置が備えるパラメータ優先度記憶部に記憶されたパラメータ優先度情報の一例を示した図である。
【図３】本発明の一実施形態である記録装置が備える製造メーカ優先度記憶部に記憶された製造メーカ優先度情報の一例を示した図である。
【図４】本発明の一実施形態である記録装置が備える記録媒体のメモリ構成を示す構成図である。
【図５】本発明の一実施形態である記録装置における処理手順を示したフローチャートである。
【図６】本発明の一実施形態である記録装置が備える表示部に表示されたパラメータ設定画面の一例を示した図である。
【図７】本発明の一実施形態である記録装置が備える媒体優先度決定部による媒体優先度の決定を説明した図である。
【発明を実施するための形態】
【００１７】
以下、本発明の実施の形態について図面を参照して説明する。
【００１８】
本発明の一実施形態では、フラッシュメモリを用いた３つの記録媒体を備え、３つの記録媒体において、信頼性の高い記録媒体から順に画像を記録する記録装置を例に挙げて説明する。
【００１９】
＜記録装置の構成＞
図１は、本発明の一実施形態である記録装置の構成を示した構成図である。
【００２０】
本発明の一実施形態である記録装置１は、光学レンズ２と、画像素子部３と、Ａ／Ｄ変換部４と、画像処理部５と、操作部６と、表示部７と、ＥＥＰＲＯＭ８と、ＣＰＵ９と、デバイスインタフェース部１０と、記録媒体Ａ１，Ｂ１，Ｂ２とを備える。
【００２１】
光学レンズ２は、軸Ｐを光軸として入射する光を集光させる。
【００２２】
画像素子部３は、光学レンズ２により集光された光を結像させ、結像させた被写体像を電気信号に変換する。
【００２３】
Ａ／Ｄ変換部４は、画像素子部３から供給されたアナログデータをデジタルデータに変換する。
【００２４】
画像処理部５は、Ａ／Ｄ変換部４から供給された入力信号に各種デジタル処理を施す。
【００２５】
操作部６は、各種操作ボタン等を備えており、利用者による各種操作ボタン等の操作に基づいて、各種操作信号を生成する。
【００２６】
表示部７は、有機ＥＬ（electroluminescence）ディスプレイや、液晶ディスプレイ等の画像出力回路を備え、ＣＰＵ９から供給された表示信号に基づいて、静止画像、動画像、又は媒体優先度の自動選択モード／手動選択モード切り替え設定を行うための優先順位設定画面や、手動選択モード設定時にパラメータ優先度を設定するためのパラメータ設定画面等の各種設定画面を表示する。
【００２７】
ＥＥＰＲＯＭ８は、その機能上、パラメータ優先度記憶部８ａと、製造メーカ優先度記憶部８ｂとを備える。
【００２８】
パラメータ優先度記憶部８ａは、記録媒体Ａ１，Ｂ１，Ｂ２のうち、いずれの記録媒体に画像を記録するかを判定する上での判定区分となる複数のパラメータと、複数のパラメータの優先順位を示すパラメータ優先度とを関連付けて、パラメータ優先度情報として記憶する。
【００２９】
図２は、本発明の一実施形態である記録装置１が備えるパラメータ優先度記憶部８ａに記憶されたパラメータ優先度情報の一例を示した図である。
【００３０】
図２に示すように、カラム名“パラメータ優先度”（符号２０１）と、カラム名“パラメータ”（符号２０２）とが関連付けられて、パラメータ優先度情報として記憶されている。
【００３１】
ここで、本発明の一実施形態である記録装置１が備えるパラメータ優先度記憶部８ａでは、パラメータ２０２として、代替エリア使用比率２０２ａと、製造メーカコード２０２ｂと、エラーレート２０２ｃと、単位記録値２０２ｄとを備えており、それぞれパラメータ優先度２０１が関連付けられて記録されている。例えば、エラーレート２０２ｃにおけるパラメータ優先度２０１は、“３”である。
【００３２】
製造メーカ優先度記憶部８ｂは、記録媒体Ａ１，Ｂ１，Ｂ２の種類毎に、記録媒体を製造する製造メーカを一意に識別する製造メーカコードと、製造メーカコードの優先順位を示す製造メーカ優先度とを関連付けて、製造メーカ優先度情報として記憶する。
【００３３】
図３は、本発明の一実施形態である記録装置１が備える製造メーカ優先度記憶部８ｂに記憶された製造メーカ優先度情報の一例を示した図である。
【００３４】
図３に示すように、カラム名“製造メーカコード”（符号３０１）と、カラム名“パラメータ毎媒体優先度”（符号３０２）とが関連付けられて、製造メーカ優先度情報として記憶されている。パラメータ毎媒体優先度３０２は、記録媒体の種類毎に記憶されており、図３に示した例では、記録媒体の種類として、“タイプＡ”及び“タイプＢ”毎に、パラメータ毎媒体優先度３０２が記憶されている。
【００３５】
図１に示すデバイスインタフェース部１０は、記録媒体Ａ１，Ｂ１，Ｂ２とのインタフェース装置であり、後述するＣＰＵ９の指示に従い、記録媒体Ａ１，Ｂ１，Ｂ２のうち媒体優先度の高い順に、画像処理部５により画像処理された画像を記録する。
【００３６】
記録媒体Ａ１，Ｂ１，Ｂ２は、それぞれフラッシュメモリを用いたＳＤカード、ＵＳＢ（Universal Serial Bus）カード、又はメモリカードであり、記録媒体Ｂ１，Ｂ２は、同一種類の記録媒体であり、記録媒体Ａ１と記録媒体Ｂ１，Ｂ２とは、異なる種類の記録媒体である。
【００３７】
図４は、記録媒体Ａ１のメモリ構成を示す構成図である。
【００３８】
図４に示すように、記録媒体Ａ１には、代替エリア５０１と、管理情報記録エリア５０２と、データ記録エリア５０３とを備えている。
【００３９】
代替エリア５０１は、データ記録エリア５０３に画像を記録させる際に、書き込み不能が発生した場合に、この書き込み不能が発生したアドレスの代わりに、代替エリア５０１内のアドレスを割り当てる。そのため、画像を記録させる際にエラーが発生する程、代替エリア５０１の使用容量が大きくなる。ここで、代替エリア５０１と、管理情報記録エリア５０２と、データ記録エリア５０３との合計容量を全記録容量といい、この全記録容量に対する代替エリア５０１において使用されている容量を代替エリア使用比率という。
【００４０】
管理情報記録エリア５０２は、管理情報を記録するエリアである。ここで、管理情報には、記録媒体を製造した製造メーカコード、及び記録媒体の種類が含まれている。
【００４１】
さらに、管理情報には、最小記録単位当たりの記録値が記録されている。記録媒体Ａ１は、記録方式として、データを“１”又は“０”の２値で記録するシングルビット方式、又はデータを４値、８値、１６値等のシングル／マルチレベルで記録するマルチビット方式が採用されている。そこで、管理情報には、最小記録単位当たりの記録値として“２”“４”、“８”、又は“１６”が記録されている。
【００４２】
データ記録エリア５０３は、画像等の様々なデータを記録するエリアである。
【００４３】
なお、記録媒体Ａ１と記録媒体Ｂ１，Ｂ２とは、異なる種類の記録媒体であるが、記録媒体Ｂ１，Ｂ２においても、記録媒体Ａ１と同様に、代替エリア５０１、管理情報記録エリア５０２、及びデータ記録エリア５０３に相当する少なくとも３つのエリアに領域分割されているとする。
【００４４】
ＣＰＵ９は、記録装置１の中枢的な制御を行う。また、ＣＰＵ９は、その機能上、パラメータ毎媒体優先度決定部９ａと、媒体優先度決定部９ｂとを備える。
【００４５】
パラメータ毎媒体優先度決定部９ａは、複数のパラメータ毎に、記録媒体Ａ１，Ｂ１，Ｂ２において、優先させる記録媒体の順位を示すパラメータ毎媒体優先度を決定する。
【００４６】
具体的には、パラメータ毎媒体優先度決定部９ａは、複数のパラメータに、代替エリア使用比率に基づいてパラメータ毎媒体優先度を決定することを示すパラメータ、即ち代替エリア使用比率２０２ａが含まれている場合に、記録媒体Ａ１，Ｂ１，Ｂ２毎に、全記憶容量に対する代替エリアの使用容量を代替エリア使用比率として算出し、この算出された代替エリア使用比率が小さい記録媒体ほど優先されるように、代替エリア使用比率に基づいたパラメータ毎媒体優先度を決定する。
【００４７】
パラメータ毎媒体優先度決定部９ａは、複数のパラメータに、エラーレートに基づいてパラメータ毎媒体優先度を決定することを示すパラメータ、即ちエラーレート２０２ｃが含まれている場合に、記録媒体Ａ１，Ｂ１，Ｂ２毎に、記録媒体に記録された管理情報を読み出し、管理情報を読み出した際のエラーレートを算出し、この算出されたエラーレートが小さい記録媒体ほど優先されるように、エラーレートに基づいたパラメータ毎媒体優先度を決定する。
【００４８】
パラメータ毎媒体優先度決定部９ａは、複数のパラメータに、単位記録値に基づいてパラメータ毎媒体優先度を決定することを示すパラメータ、即ち単位記録値２０２ｄが含まれている場合に、記録媒体Ａ１，Ｂ１，Ｂ２毎に、記録媒体に記録された管理情報を読み出し、この読み出された管理情報から記録媒体の最小記録単位当たりの記録値を単位記録値として抽出し、この抽出された単位記録値が小さい記録媒体ほど優先されるように、単位記録値に基づいたパラメータ毎媒体優先度を決定する。
【００４９】
パラメータ毎媒体優先度決定部９ａは、複数のパラメータに、製造メーカコードに基づいてパラメータ毎媒体優先度を決定することを示すパラメータ、即ち製造メーカコード２０２ｂが含まれている場合に、記録媒体Ａ１，Ｂ１，Ｂ２毎に、記録媒体に記録された管理情報を読み出し、この読み出された管理情報から記録媒体の種類と製造メーカコードとを抽出し、製造メーカ優先度情報に基づいて、抽出された記録媒体の種類において優先させる製造メーカコードの順位を、製造メーカコードに基づいたパラメータ毎媒体優先度として決定する。
【００５０】
媒体優先度決定部９ｂは、パラメータ毎媒体優先度決定部９ａにより決定されたパラメータ毎媒体優先度と、パラメータ優先度記憶部８ａに記憶されたパラメータ優先度情報とに基づいて、記録媒体Ａ１，Ｂ１，Ｂ２において、優先使用する記録媒体の順位を示す媒体優先度を決定する。
【００５１】
また、ＣＰＵ９は、記録媒体Ａ１，Ｂ１，Ｂ２のうち、媒体優先度決定部９ｂにより決定された媒体優先度の高い順に、画像処理部５により画像処理された画像を、デバイスインタフェース部１０に記録させる。
【００５２】
＜記録装置１の作用＞
次に、本発明の一実施形態である記録装置１の作用について説明する。
【００５３】
図５は、本発明の一実施形態である記録装置１における処理手順を示したフローチャートである。
【００５４】
図５に示すように、電源が投入されると、ＣＰＵ９は、予め設定された優先順位設定が、自動選択モードか否かを判定する（ステップＳ１０１）。
【００５５】
ステップＳ１０１において、自動選択モードではない、即ち手動選択モードであると判定された場合（ＮＯの場合）、ＣＰＵ９は、パラメータ設定画面を表示部７に表示させる（ステップＳ１０２）。
【００５６】
図６は、本発明の一実施形態である記録装置１が備える表示部７に表示されたパラメータ設定画面の一例を示した図である。
【００５７】
図６に示すように、パラメータ設定画面４０１には、画面向かって左方向から順に、優先順位第１位として記録媒体Ａ１のボタン４０２が表示され、優先順位第２位として記録媒体Ｂ１のボタン４０３が表示され、優先順位第３位として記録媒体Ｂ２のボタン４０３が表示されている。また、媒体優先度を確定するための決定ボタン４０５が表示されている。
【００５８】
利用者は、表示部７に表示されたパラメータ設定画面４０１を見ながら、カーソルをボタン４０２〜４０４のいずれかに合わせて、クリック操作を行うと、操作部６は、いずれのボタンがクリック操作されたか示す情報を含む操作信号をＣＰＵ９へ供給する。
【００５９】
この操作信号が供給されたＣＰＵ９は、操作信号に基づいて、クリック操作されたボタンを優先順位第１位として表示部７に表示させると共に、その他のボタンの優先順位を下げて表示部７に表示させる。例えば、利用者により記録媒体Ｂ１のボタン４０３がクリック操作された場合、記録媒体Ｂ１のボタン４０３を優先順位第１位として表示部７に表示させ、記録媒体Ａ１のボタン４０２を優先順位第２位として表示部７に表示させ、記録媒体Ｂ２のボタン４０４を優先順位第３位として表示部７に表示させる。
【００６０】
次に、ＣＰＵ９は、利用者によりパラメータ設定画面４０１上に表示された決定ボタン４０５が押下操作されたか否かを判定する（ステップＳ１０３）。具体的には、ＣＰＵ９は、操作部６からパラメータ設定画面４０１上に表示された決定ボタン４０５が押下操作されたことを示す操作信号が供給されたか否かを判定する。
【００６１】
ステップＳ１０３において決定ボタン４０５が押下操作されたと判定された場合（ＹＥＳの場合）、ＣＰＵ９は、操作信号に基づいて媒体優先度を決定する（ステップＳ１０４）。具体的には、ＣＰＵ９は、操作信号が供給されたときにおける、記録媒体Ａ１のボタン４０２、記録媒体Ｂ１のボタン４０３、及び記録媒体Ｂ２のボタン４０４の優先順位を媒体優先度として決定する。
【００６２】
一方、ステップＳ１０１において、自動選択モードであると判定された場合（ＹＥＳの場合）、ＣＰＵ９のパラメータ毎媒体優先度決定部９ａは、記録媒体Ａ１，Ｂ１，Ｂ２毎に、全記憶容量に対する代替エリアの使用容量を代替エリア使用比率として算出する（ステップＳ１０５）。具体的には、パラメータ毎媒体優先度決定部９ａは、記録媒体Ａ１，Ｂ１，Ｂ２毎に、代替エリア５０１において使用されている容量を、代替エリア５０１と、管理情報記録エリア５０２と、データ記録エリア５０３との合計容量である全記録容量で除算した値を代替エリア使用比率として算出する。例えば、記録媒体Ａ１の全記録容量が２（ＧＢ）であり、代替エリア５０１において使用されている容量が８００（ｂｉｔ）であった場合、代替エリア使用比率は、５．０×１０−８（＝８００／（２×１０９×８））となる。同様に、記録媒体Ｂ１の全記録容量が４（ＧＢ）であり、代替エリア５０１において使用されている容量が８００（ｂｉｔ）であった場合、代替エリア使用比率は、２．５×１０−８（＝８００／（４×１０９×８））となり、記録媒体Ｂ２の全記録容量が１（ＧＢ）であり、代替エリア５０１において使用されている容量が４００（ｂｉｔ）であった場合、代替エリア使用比率は、５．０×１０−８（＝４００／（１×１０９×８））となる。
【００６３】
そして、パラメータ毎媒体優先度決定部９ａは、記録媒体Ａ１，Ｂ１，Ｂ２のうち、ステップＳ１０５において算出された代替エリア使用比率が小さい記録媒体ほど優先されるように、代替エリア使用比率に基づいたパラメータ毎媒体優先度を決定する（ステップＳ１０６）。ここでは、記録媒体Ａ１，Ｂ１，Ｂ２の代替エリア使用比率は、それぞれ５．０×１０−８、２．５×１０−８、５．０×１０−８であるので、パラメータ毎媒体優先度決定部９ａは、代替エリア使用比率に基づいたパラメータ毎媒体優先度を、記録媒体Ａ１，Ｂ１，Ｂ２の順に“２”，“１”，“２”として決定する。
【００６４】
次に、パラメータ毎媒体優先度決定部９ａは、記録媒体Ａ１，Ｂ１，Ｂ２毎に、記録媒体Ａ１，Ｂ１，Ｂ２それぞれに記録された管理情報を読み出し、この管理情報を読み出した際のエラーレートを算出する（ステップＳ１０７）。
【００６５】
具体的には、パラメータ毎媒体優先度決定部９ａは、パリティビット、ＣＲＣ（Cyclic Redundancy Check）、又はチェックサムにより誤り検査を行う。そして、パラメータ毎媒体優先度決定部９ａは、読み出した管理情報の全ビット数に対する、誤り検査により検出されたエラービット数をエラーレートとして算出する。例えば、記録媒体Ａ１の管理情報の全ビット数が３２（ｂｉｔ）であり、エラービット数が１（ｂｉｔ）であった場合、エラーレートは、０．０３１２５（＝１／３２）となる。同様に、記録媒体Ｂ１の管理情報の全ビット数が３２（ｂｉｔ）であり、エラービット数が２（ｂｉｔ）であった場合、エラーレートは、０．０６２５（＝２／３２）となり、記録媒体Ｂ２の管理情報の全ビット数が３２（ｂｉｔ）であり、エラービット数が３（ｂｉｔ）であった場合、エラーレートは、０．０９３７５（＝３／３２）となる。
【００６６】
そして、パラメータ毎媒体優先度決定部９ａは、ステップＳ１０７において算出されたエラーレートが小さい記録媒体Ａ１，Ｂ１，Ｂ２ほど優先されるように、エラーレートに基づいたパラメータ毎媒体優先度を決定する（ステップＳ１０８）。ここでは、記録媒体Ａ１，Ｂ１，Ｂ２のエラーレートは、それぞれ“０．０３１２５”、“０．０６２５”、“０．０９３７５”であるので、パラメータ毎媒体優先度決定部９ａは、エラーレートに基づいたパラメータ毎媒体優先度を、記録媒体Ａ１，Ｂ１，Ｂ２の順に“１”，“２”，“３”として決定する。
【００６７】
次に、パラメータ毎媒体優先度決定部９ａは、記録媒体Ａ１，Ｂ１，Ｂ２毎に、記録媒体Ａ１，Ｂ１，Ｂ２それぞれに記録された管理情報を読み出し、この読み出された管理情報から、最小記録単位当たりの記録値を単位記録値として抽出する（ステップＳ１０９）。
【００６８】
そして、パラメータ毎媒体優先度決定部９ａは、ステップＳ１０９において抽出された単位記録値が小さい記録媒体ほど優先されるように、単位記録値に基づいたパラメータ毎媒体優先度を決定する（ステップＳ１１０）。例えば、ステップＳ１０９において、抽出された単位記録値が、それぞれ“２”、“２”、“８”であったとすると、パラメータ毎媒体優先度決定部９ａは、単位記録値に基づいたパラメータ毎媒体優先度を、記録媒体Ａ１，Ｂ１，Ｂ２の順に“１”，“１”，“２”として決定する。
【００６９】
次に、パラメータ毎媒体優先度決定部９ａは、記録媒体Ａ１，Ｂ１，Ｂ２毎に、記録媒体Ａ１，Ｂ１，Ｂ２にそれぞれ記録された管理情報を読み出し、この読み出された管理情報から記録媒体の種類と製造メーカコードとを抽出する（ステップＳ１１１）。
【００７０】
そして、パラメータ毎媒体優先度決定部９ａは、ＥＥＰＲＯＭ８の製造メーカ優先度記憶部８ｂに記憶された製造メーカ優先度情報に基づいて、ステップＳ１１１において抽出された記録媒体の種類において優先させる製造メーカコードの順位を、製造メーカコードに基づいたパラメータ毎媒体優先度として決定する（ステップＳ１１２）。
【００７１】
例えば、パラメータ毎媒体優先度決定部９ａは、記録媒体Ａ１に記録された管理情報を読み出し、この読み出された管理情報から記録媒体の種類として、“タイプＡ”と、製造メーカコードとして、“Ｒ００１３”とを抽出したとする。
【００７２】
図３に示した製造メーカ優先度の例では、タイプＡにおけるパラメータ毎媒体優先度は、製造メーカコード“Ｐ００１１”、“Ｑ００１２”、“Ｒ００１３”、“Ｓ００１４”の順に、“１”、“３”、“２”、“４”であるので、パラメータ毎媒体優先度決定部９ａは、この抽出された記録媒体の種類“タイプＡ”において優先させる製造メーカコード“Ｒ００１３”に対応するパラメータ毎媒体優先度を“２”として決定する。
【００７３】
同様に、パラメータ毎媒体優先度決定部９ａが、記録媒体Ｂ１に記録された管理情報から記録媒体の種類として、“タイプＢ”と、製造メーカコードとして、“Ｑ００１２”とを抽出したとすると、この抽出された記録媒体の種類“タイプＢ”において優先させる製造メーカコード“Ｑ００１２”に対応するパラメータ毎媒体優先度を“１”として決定する。また、パラメータ毎媒体優先度決定部９ａが、記録媒体Ｂ２に記録された管理情報から記録媒体の種類として、“タイプＢ”と、製造メーカコードとして、“Ｐ００１１”とを抽出したとすると、この抽出された記録媒体の種類“タイプＢ”において優先させる製造メーカコード“Ｐ００１１”に対応するパラメータ毎媒体優先度を“２”として決定する。
【００７４】
次に、媒体優先度決定部９ｂは、決定されたパラメータ毎媒体優先度とパラメータ優先度情報とに基づいて、記録媒体Ａ１，Ｂ１，Ｂ２において、優先使用する記録媒体の順位を示す媒体優先度を決定する（ステップＳ１１３）。具体的には、媒体優先度決定部９ｂは、ステップＳ１０６において決定された代替エリア使用比率に基づいたパラメータ毎媒体優先度と、ステップＳ１０８により決定されたエラーレートに基づいたパラメータ毎媒体優先度と、ステップＳ１１０において決定された単位記録値に基づいたパラメータ毎媒体優先度と、ステップＳ１１２において決定された製造メーカコードに基づいたパラメータ毎媒体優先度と、ＥＥＰＲＯＭ８のパラメータ優先度記憶部８ａに記憶されたパラメータ優先度情報とに基づいて、記録媒体Ａ１，Ｂ１，Ｂ２において、優先使用する記録媒体の順位を示す媒体優先度を決定する。
【００７５】
図７は、本発明の一実施形態である記録装置１が備える媒体優先度決定部９ｂによる媒体優先度の決定を説明した図である。なお、パラメータ毎媒体優先度６０１は、記録媒体Ａ１，Ｂ１，Ｂ２毎に、ステップＳ１０６、ステップＳ１０８、ステップＳ１１０、及びステップＳ１１２において決定されたパラメータ毎媒体優先度を示している。
【００７６】
図７に示すように、パラメータ優先度２０１は、パラメータ２０２である代替エリア使用比率、製造メーカコード、エラーレート、単位記録値の順に、“１”、“２”、“３”、“４”であるので、媒体優先度決定部９ｂは、まず、ステップＳ１０６において決定された代替エリア使用比率に基づいたパラメータ毎媒体優先度に基づいて、媒体優先度を決定する。
【００７７】
図７のレコード７０１に示すように、代替エリア使用比率に基づいたパラメータ毎媒体優先度６０１は、記録媒体Ａ１，Ｂ１，Ｂ２の順に“２”，“１”，“２”であるので、媒体優先度決定部９ｂは、記録媒体Ｂ１の媒体優先度を“１”として決定する。一方、記録媒体Ａ１と記録媒体Ｂ２との代替エリア使用比率に基づいたパラメータ毎媒体優先度６０１は、互いに“２”であるので、ここでは、媒体優先度決定部９ｂは、記録媒体Ａ１，Ｂ２の媒体優先度を決定しない。
【００７８】
そして、図７のレコード７０２に示すように、製造メーカコードに基づいたパラメータ毎媒体優先度６０１についても、同様に、記録媒体Ａ１，Ｂ１，Ｂ２の順に“２”，“１”，“２”であるので、媒体優先度決定部９ｂは、記録媒体Ａ１，Ｂ２の媒体優先度を決定しない。
【００７９】
次に、図７のレコード７０３に示すように、エラーレートに基づいたパラメータ毎媒体優先度６０１は、記録媒体Ａ１，Ｂ１，Ｂ２の順に“１”，“２”，“３”であるので、媒体優先度決定部９ｂは、記録媒体Ａ１，Ｂ２の媒体優先度を、“２”、“３”として決定する。
【００８０】
以上のように、本発明の一実施形態である記録装置１によれば、複数のパラメータ毎に、記録媒体Ａ１，Ｂ１，Ｂ２において、優先させる記録媒体の順位を示すパラメータ毎媒体優先度を決定するパラメータ毎媒体優先度決定部９ａと、パラメータ毎媒体優先度決定部９ａにより決定されたパラメータ毎媒体優先度と、パラメータ優先度記憶部８ａに記憶されたパラメータ優先度情報とに基づいて、記録媒体Ａ１，Ｂ１，Ｂ２において、優先使用する記録媒体の順位を示す媒体優先度を決定する媒体優先度決定部９ｂとを備えているので、記録媒体Ａ１，Ｂ１，Ｂ２のうち信頼性の高い記録媒体を優先的に使用して、画像を記録することができる。これにより、本発明の一実施形態である記録装置１は、複数の記録媒体に記録された画像の信頼性を向上させることができる。
【００８１】
なお、本発明の一実施形態では、３つの記録媒体において、信頼性の高い記録媒体から順に画像を記録する記録装置を例に挙げて説明したが、記録媒体に記録するデータは、画像に限らない。例えば、音声であってもよいし、文字データ等であってもよい。
【符号の説明】
【００８２】
１…記録装置
２…光学レンズ
３…画像素子部
４…変換部
５…画像処理部
６…操作部
７…表示部
８…ハードディスク
８ａ…パラメータ優先度記憶部
８ｂ…製造メーカ優先度記憶部
９…ＣＰＵ
９ａ…パラメータ毎媒体優先度決定部
９ｂ…媒体優先度決定部
１０…デバイスインタフェース部
【図１】
2010204841.tif 000003
【図２】
2010204841.tif 000004
【図３】
2010204841.tif 000005
【図４】
2010204841.tif 000006
【図５】
2010204841.tif 000007
【図６】
2010204841.tif 000008
【図７】
2010204841.tif 000009